(57)【要約】  ３ＧＰＰの仕様において規定された基地局装置の動作において、先発して配信要求された速報メッセージが後発の速報メッセージで上書かれずに、所定の条件に基づいて適切に速報メッセージを端末まで送信する速報メッセージ配信装置を提供するため、新たな速報メッセージの配信時に過去に配信した速報メッセージの属性に基づいて前記新たな速報メッセージの配信待機を行うか否かを判定し、配信待機を行うと判定した場合には、所定の待機時間待機した後に、過去に配信要求が行われた速報メッセージに代えて新たな速報メッセージを端末装置に送信する基地局装置へ当該新たな速報メッセージを配信する。
2018198892.tif 000002
【特許請求の範囲】
【請求項１】
新たな速報メッセージの配信時に過去に配信した速報メッセージの属性に基づいて前記新たな速報メッセージの配信待機を行うか否かを判定する配信待機判定手段と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信手段と、
を備える速報メッセージ配信装置。
【請求項２】
前記配信待機判定手段は、前記新たな速報メッセージの属性の一つである配信時刻が、前記過去に配信した速報メッセージの属性の一つである配信時刻から所定時間以上経過していない時刻である場合に、前記配信待機を行うと判定する
請求項１に記載の速報メッセージ配信装置。
【請求項３】
前記配信待機判定手段は、前記新たな速報メッセージの属性の一つである重要度が、前記過去に配信した速報メッセージの属性の一つである重要度より低い場合に、前記配信待機を行うと判定する
請求項１または請求項２に記載の速報メッセージ配信装置。
【請求項４】
前記配信待機判定手段は、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定する
請求項１から請求項３の何れか一項に記載の速報メッセージ配信装置。
【請求項５】
前記速報メッセージ送信手段は、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
請求項４に記載の速報メッセージ配信装置。
【請求項６】
速報メッセージ配信装置が、
新たな速報メッセージの配信時に過去に配信した速報メッセージの属性に基づいて前記新たな速報メッセージの配信待機を行うか否かを判定し、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する
速報メッセージ配信方法。
【請求項７】
速報メッセージ配信装置のコンピュータに、
新たな速報メッセージの配信時に過去に配信した速報メッセージの属性に基づいて前記新たな速報メッセージの配信待機を行うか否かを判定する配信待機判定機能と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信機能と、
を実現させるプログラムを記録したコンピュータ読み取り可能な記録媒体。
【発明の詳細な説明】
【技術分野】
【０００１】
本発明は、速報メッセージ配信装置、速報メッセージ配信方法、記録媒体に関する。
【背景技術】
【０００２】
標準化プロジェクトである３ＧＰＰ（Third Generation Partnership Project）においてＴＳ. ２２１６８やＴＳ. ３６．４１３等の仕様書では速報メッセージを配信するセルラネットワークシステムの標準仕様が定められている。ＴＳ. ３６．４１３の仕様においては、基地局装置は異なる速報メッセージを受信した場合には、処理中の速報メッセージを後から受信した速報メッセージで上書きするよう定められている。なお関連する技術が特許文献１に開示されている。特許文献１の技術は地震速報などの速報メッセージを最優先する通信装置の技術である。
【先行技術文献】
【特許文献】
【０００３】
【特許文献１】特開２００９−１５９５４７号公報
【発明の概要】
【発明が解決しようとする課題】
【０００４】
上述のような速報メッセージの配信は即時性が求められる。したがって、後発の速報メッセージがある場合には基地局装置は自装置で記憶する未配信の先発の速報メッセージを後発の速報メッセージに上書きして送信することで、より新しい情報の端末へ送信の即時性を高めている。一方で緊急地震速報や災害・避難情報、津波警報等の多様な配信を実施する現在においては、ほぼ同時に連続して速報メッセージが発生するケースが頻発する可能性がある。基地局装置において後発の速報メッセージの配信要求を受けることにより先発して配信要求された速報メッセージが上書かれてしまうことは、先発の速報メッセージが端末装置まで到達しない可能性があり、必ずしも適切ではない。【０００５】
そこでこの発明は、上述の課題を解決する速報メッセージ配信装置、速報メッセージ配信方法、記録媒体を提供することを目的としている。
【課題を解決するための手段】
【０００６】
本発明の第１の態様によれば、速報メッセージ配信装置は、新たな速報メッセージの配信時に過去に配信した速報メッセージの属性に基づいて前記新たな速報メッセージの配信待機を行うか否かを判定する配信待機判定手段と、前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信手段と、を備えることを特徴とする。【０００７】
本発明の第２の態様によれば、速報メッセージ配信方法は、新たな速報メッセージの配信時に過去に配信した速報メッセージの属性に基づいて前記新たな速報メッセージの配信待機を行うか否かを判定し、前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信することを特徴とする。【０００８】
本発明の第３の態様によれば、プログラムを記録したコンピュータ読み取り可能な記録媒体は、速報メッセージ配信装置のコンピュータに、新たな速報メッセージの配信時に過去に配信した速報メッセージの属性に基づいて前記新たな速報メッセージの配信待機を行うか否かを判定する配信待機判定機能と、前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信機能と、を実現させることを特徴とする。
【発明の効果】
【０００９】
本発明によれば、３ＧＰＰの仕様において規定された基地局装置の動作において、先発して配信要求された速報メッセージが未配信の場合に後発の速報メッセージで全てが上書かれることなく、所定の条件に基づいて端末を利用するユーザにとって必要な速報メッセージを適切に端末まで送信する速報メッセージ配信装置を提供することができる。
【図面の簡単な説明】
【００１０】
【図１】本発明の一実施形態による配信装置を備えた速報配信システムの例を示す図である。
【図２】配信装置のハードウェア構成の例を示す図である。
【図３】配信装置の機能ブロック図の例である。
【図４】速報メッセージのデータ例を示す図である。
【図５】配信装置の処理フローの例を示す図である。
【図６】速報メッセージの複製処理の概要の例を示す図である。
【図７】配信装置の最小構成の例を示す図である。
【発明を実施するための形態】
【００１１】
以下、本発明の一実施形態による配信装置を備えた速報配信システムを説明する。
図１は配信装置を備えた速報配信システムの例を示す図である。
この図が示すように、速報配信システムは、速報生成装置１（１ａ〜１ｃ）、配信装置２、基地局制御装置３（３ａ，３ｂ）、基地局装置４（４ａ〜４ｃ）、通信端末５（５ａ，５ｂ）が通信接続することにより構成される。
【００１２】
図１で示す速報配信システムでは、速報生成装置１ａ〜１ｃが配信装置２に通信接続される。速報生成装置１ａ〜１ｃは速報メッセージを生成する。配信装置２は受信した速報メッセージの属性に基づいて、基地局装置４ａ〜４ｃの何れかの、配信先とすべき基地局装置４に、基地局制御装置３ａまたは３ｂを介して速報メッセージを配信する。基地局制御装置３ａ、３ｂのそれぞれは１つまたは複数の基地局装置４と接続される。図１は、基地局制御装置３ａが基地局装置４ａ、４ｂに接続され、基地局制御装置３ｂが基地局装置４ｃと接続されている様子を示している。基地局装置４ａの通信エリアには通信端末５ａが位置して通信接続されている。基地局装置４ｂの通信エリアには通信端末５ｂが位置して通信接続されている。基地局装置４ｃの通信エリアには通信端末が位置していないとする。
【００１３】
このような速報配信システムにおいて配信装置２は、受信した速報メッセージを分析し、配信対象となる基地局制御装置３および基地局装置４を特定する。配信装置２は速報メッセージの分析により特定した情報を基に基地局装置４へ宛てて速報メッセージを送信する。その速報メッセージは基地局装置４に配信される前に基地局制御装置３に受信される。基地局制御装置３は速報メッセージ内の情報から配信対象となる基地局装置４を判別し、その基地局装置４へ速報メッセージを送信する。基地局装置４は速報メッセージ内の情報から通信端末５への通知要否を判断し、必要であれば通信端末５へ速報メッセージを通知する。
【００１４】
図２は配信装置のハードウェア構成の例を示す図である。
配信装置２は図２で示すように、ＣＰＵ（Central Processing Unit）１０１、ＩＦ（Interface）１０２、通信モジュール１０３、ＲＯＭ（Read Only Memory）１０４、ＲＡＭ（Random Access Memory）１０５、ＨＤＤ（Hard Disk Drive）１０６などを備えている。
なお他の装置も同様のハードウェア構成を有するコンピュータである。
【００１５】
図３は配信装置の機能ブロック図の例である。
配信装置２は、記憶するプログラムをＣＰＵ１０１が実行することにより、受信部２１、解析部２２、配信待機判定部２３、速報メッセージ送信部２４の各機能を備える。
受信部２１は速報メッセージを受信する。
解析部２２は速報メッセージを解析する。
配信待機判定部２３は、後発の新たな速報メッセージの配信時に過去に配信した先発の速報メッセージの属性に基づいて後発の新たな速報メッセージの配信待機を行うか否かを判定する。
速報メッセージ送信部２４は、配信待機を行わないと判定された場合には直ちに速報メッセージを基地局装置４へ配信する。速報メッセージ送信部２４は、配信待機を行うと判定された場合には、所定の待機時間待機した後に、過去に配信要求が行われた速報メッセージに代えて後発の新たな速報メッセージを端末装置に送信する基地局装置４へ向けて当該新たな速報メッセージを配信する。速報メッセージは基地局制御装置３を介して基地局装置４へ配信される。
【００１６】
図４は速報メッセージのデータ例を示す図である。
速報メッセージには、配信情報、宛先基地局装置の識別情報（図４では宛先基地局情報Ａ，Ｂ，Ｃ）、速報本文などの情報が格納される。配信情報は再送回数など配信に関する情報である。速報本文は通信端末に表示させたい情報が含まれる。宛先が複数あれば図４で示すように複数の基地局装置の識別情報が速報メッセージには格納される。
【００１７】
図５は配信装置の処理フローの例を示す図である。
配信装置２の処理の詳細について順を追って説明する。
まず速報生成装置１（１ａ〜１ｃ）の少なくとも１つにおいて速報メッセージが生成されその速報生成装置１の送信した速報メッセージを配信装置２の受信部２１が受信する（ステップＳ５０１）。速報メッセージは解析部２２が解析する。例えば解析部２２は速報メッセージに格納される配信情報から配信先の基地局装置４を特定するなどの解析を行う。
【００１８】
配信待機判定部２３は速報メッセージや解析結果を解析部２２から取得する（ステップＳ５０２）。配信装置２は過去に配信した先発の速報メッセージを記憶部等に記憶している。配信待機判定部２３はその先発の速報メッセージと、当該先発の速報メッセージの属性の一つである配信時刻を記憶部から読み取る（ステップＳ５０３）。配信待機判定部２３は先発の速報メッセージの配信時刻と現在時刻（後発の新たな速報メッセージの配信時刻）とを比較する（ステップＳ５０４）。配信待機判定部２３は先発の速報メッセージの配信時刻と現在時刻との時間差が所定の閾値以上であれば待機しないと判定する。すると速報メッセージ送信部２４は、直ちに、解析部２２によって特定された宛先の基地局装置４へ新たな速報メッセージを送信する（ステップＳ５０５）。
なおステップＳ５０４で比較される先発の速報メッセージは、後発の新たな速報メッセージの１つ前に配信された速報メッセージであってもよいし、その１つ前に配信された速報メッセージを含む複数の先発の速報メッセージであってもよいし、さらに、それ以前に配信された１つまたは複数の速報メッセージの全てであってもよい。配信待機判定部２３が上記の処理で用いる先発の速報メッセージの配信時刻と現在時刻との時間差の所定の閾値は、予め定められた値であってもよいし、基地局装置４で速報メッセージが配信される単位時間当たりの量などに基づいて算出される値であってもよい。
【００１９】
配信待機判定部２３はステップＳ５０４の比較の結果、先発の速報メッセージの配信時刻と現在時刻との時間差が所定の閾値未満であると検知した場合、先発の速報メッセージの配信情報に含まれる重要度と、後発の新たな速報メッセージの配信情報に含まれる重要度とを読み取って比較する（ステップＳ５０６）。配信待機判定部２３は後発の新たな速報メッセージの重要度が先発の速報メッセージの重要度以上である場合には待機しないと判定する。すると速報メッセージ送信部２４は、直ちに、解析部２２によって特定された宛先の基地局装置４へ新たな速報メッセージを送信する（ステップＳ５０５）。これにより後発の新たな速報メッセージの重要度が先発の速報メッセージの重要度以上である場合には、基地局装置４において配信されていない先発の速報メッセージの代わりに後発の新たな速報メッセージが送信されることになる可能性がある。しかしながら後発の新たな速報メッセージの重要度が先発の速報メッセージの重要度以上であれば上書きされても問題はない。一方で、後発の新たな速報メッセージの重要度が先発の速報メッセージの重要度未満の場合には、そのような重要度の低い速報メッセージが基地局装置４において先発の速報メッセージの代わりに配信されてしまわないよう以降の処理を行う。
【００２０】
配信待機判定部２３はステップＳ５０６の結果、後発の新たな速報メッセージの重要度が先発の速報メッセージの重要度未満の場合、先発の速報メッセージの配信情報に含まれる宛先基地局情報と、後発の新たな速報メッセージの配信情報に含まれる宛先基地局情報とを読み取って比較する（ステップＳ５０７）。配信待機判定部２３は先発の速報メッセージの配信情報に含まれる宛先基地局情報と、後発の新たな速報メッセージの配信情報に含まれる宛先基地局情報とが一致しない場合には待機しないと判定する。すると速報メッセージ送信部２４は、直ちに、解析部２２によって特定された宛先の基地局装置４へ新たな速報メッセージを送信する（ステップＳ５０５）。先発の速報メッセージの宛先と後発の速報メッセージの宛先に重複がなければ基地局装置４において先発の速報メッセージに上書きして後発の速報メッセージが配信されることは無い可能性が高いため問題はない。一方で、後発と先発の速報メッセージの配信先が一致する場合には、配信待機判定部２３は後発の速報メッセージの待機を行うと判定する（ステップＳ５０８）。配信待機判定部２３は、先発と後発の速報メッセージの宛先で重複する基地局装置４の識別情報を速報メッセージ送信部２４へ出力する。
【００２１】
速報メッセージ送信部２４は、後発の新たな速報メッセージの属性の一つである当該速報メッセージの宛先の基地局装置４の識別情報が、先発の速報メッセージの属性の一つである当該速報メッセージの宛先の基地局装置４の識別情報と重複する場合には、新たな速報メッセージを複製する（ステップＳ５０９）。
【００２２】
図６は速報メッセージの複製処理の概要の例を示す図である。
図６中（ａ）は図４で示した速報メッセージと同様である。速報メッセージ送信部２４は、図６（ａ）で示す速報メッセージを図６（ｂ）と図６（ｃ）のそれぞれの速報メッセージに複製する。図６で示すように後発の新たな速報メッセージ（ａ）に宛先の基地局装置４の情報としてＡ，Ｂ，Ｃが含まれており、先発の速報メッセージと後発の速報メッセージの宛先には共にＡ，Ｂが含まれているとする。この場合、速報メッセージ送信部２４は、重複している宛先Ａ，Ｂを含む速報メッセージ（図６（ｂ））と、重複していない宛先Ｃのみを含む速報メッセージ（図６（ｃ））を生成する。
【００２３】
そして速報メッセージ送信部２４は、先発の速報メッセージの宛先とは異なる宛先の基地局装置４へ後発の速報メッセージを送信するかを判定する（ステップＳ５１０）。先発の速報メッセージの宛先とは異なる宛先の基地局装置４へ後発の速報メッセージを送信する場合、後発の新たな速報メッセージ（図６（ｃ））を直ちにその基地局装置４へ送信する（ステップＳ５０５）。また先発の速報メッセージの宛先と重複する宛先の基地局装置４へ後発の速報メッセージを送信する場合、速報メッセージ送信部２４は、配信待機判定部２３から取得した識別情報に基づいて特定した重複する基地局装置４への後発の新たな速報メッセージ（図６（ｂ））の配信を所定時間待機する（ステップＳ５１１）。所定時間は先発の速報メッセージの宛先である基地局装置４において速報メッセージが配信されたことが確実な、当該先発の速報メッセージの配信時刻を基準とした配信処理に必要な時間以上であってよい。この所定時間は管理者によって設定されてよい。
【００２４】
所定時間の待機が終了すると、速報メッセージ送信部２４は、配信待機判定部２３から取得した識別情報に基づいて特定した重複する基地局装置４へ後発の新たな速報メッセージ（図６（ｂ））を送信する（ステップＳ５１２）。基地局装置４へ配信される速報メッセージは基地局制御装置３を介して基地局装置４へ配信されることとなる。ステップＳ５１１、ステップＳ５１２の処理によれば、先発の速報メッセージの送信から十分に時間経過しておらず、後発の新たな速報メッセージの方が先発の速報メッセージよりも重要度が低く、先発と後発の速報メッセージが同一基地局装置４宛の配信の場合、一定時間、速報メッセージの配信が待機される。したがって、その速報メッセージの宛先となる基地局装置４において先発の速報メッセージを後発の速報メッセージで上書きされることがなくなる。速報メッセージ送信部２４は速報メッセージを送信し終わると、その速報メッセージを記憶部に記録する（ステップＳ５１３）。
【００２５】
以上の処理により、先発の速報メッセージの配信時刻からの経過時間が閾値未満で基地局装置４において先発の速報メッセージの配信が完了していない可能性が有る時刻の後発の速報メッセージの配信時において、重要度が先発よりも低く、かつ宛先の基地局装置４が先発と後発の速報メッセージで重複する条件下にある場合、配信装置２は、その後発の速報メッセージの配信を待機する。これにより、基地局装置４が、重要度のより高い先発の速報メッセージを重要度の低い後発の速報メッセージで上書きして通信端末５に配信してしまうことを避けることができる。
【００２６】
また先発の速報メッセージの配信時刻と、後発の速報メッセージの配信時刻の時間差が所定の閾値以上である場合には、後発の速報メッセージの無用な待機を無くすことが可能となる。
【００２７】
また先発の速報メッセージと後発の速報メッセージの宛先の基地局装置が重複しない場合にも、後発の速報メッセージの無用な待機を無くすことが可能となる。
【００２８】
なお上述の処理においては、ステップＳ５０４、Ｓ５０６、Ｓ５０７の３つの比較処理を行っているが、他の実施形態においては、ステップＳ５０４の配信時刻の比較のみを行って、先発と後発の速報メッセージの配信時刻の時間差が閾値未満の場合に、その後ステップＳ５０８の処理と同様に配信待機を行うと判定してもよい。
【００２９】
また他の実施形態においては、ステップＳ５０６の重要度の比較のみを行って、ステップＳ５０６において後発の速報メッセージの重要度が先発の速報メッセージの重要度未満である場合に、その後ステップＳ５０８の処理と同様に配信待機を行うと判定してもよい。
【００３０】
また他の実施形態においては、ステップＳ５０７の宛先の基地局装置の比較のみを行って、ステップＳ５０７において先発の速報メッセージの宛先と、後発の速報メッセージの宛先とが重複する場合に、その後ステップＳ５０８の処理と同様に配信待機を行うと判定してもよい。
【００３１】
また他の実施形態においては、ステップＳ５０４の配信時刻の比較と、ステップＳ５０６の重要度の比較の処理のみを行って、ステップＳ５０６において後発の速報メッセージの重要度が先発の速報メッセージの重要度未満である場合に、その後ステップＳ５０８の処理と同様に配信待機を行うと判定してもよい。
【００３２】
また他の実施形態においては、ステップＳ５０４の配信時刻の比較と、ステップＳ５０７の宛先の基地局装置の比較のみを行って、ステップＳ５０７において先発の速報メッセージの宛先と、後発の速報メッセージの宛先とが重複する場合に、その後ステップＳ５０８の処理と同様に配信待機を行うと判定してもよい。
【００３３】
また他の実施形態においては、ステップＳ５０６の重要度の比較と、ステップＳ５０７の宛先の基地局装置の２つの比較のみを行って、ステップＳ５０７において先発の速報メッセージの宛先と、後発の速報メッセージの宛先とが重複する場合に、その後ステップＳ５０８の処理と同様に配信待機を行うと判定してもよい。
【００３４】
また他の実施形態においては、上述のステップＳ５０４、Ｓ５０６、Ｓ５０７の３つの比較処理のうちの少なくとも２つの比較処理の順序を入れ替えるようにしてもよい。
【００３５】
図７は配信装置の最小構成の例を示す図である。
配信装置２は少なくとも配信待機判定部２３と、速報メッセージ送信部２４の機能を備えればよい。
【００３６】
上述の各装置は内部に、コンピュータシステムを有している。そして、各装置に上述した各処理を行わせるためのプログラムは、それら各装置のコンピュータ読み取り可能な記録媒体に記憶されており、このプログラムを各装置のコンピュータが読み出して実行することによって、上記処理が行われる。ここでコンピュータ読み取り可能な記録媒体とは、磁気ディスク、光磁気ディスク、ＣＤ（Compact Disc）−ＲＯＭ、ＤＶＤ（Digital Versatile Disc）−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した各処理部の機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００３９】
この出願は、２０１７年４月２６日に出願された日本出願特願２０１７−０８７６５７を基礎とする優先権を主張し、その開示の全てをここに取り込む。
【符号の説明】
【００４０】
１・・・速報生成装置、２・・・配信装置、３・・・基地局制御装置、４・・・基地局装置、５・・・通信端末、１０１・・・ＣＰＵ、１０２・・・ＩＦ、１０３・・・通信モジュール、１０４・・・ＲＯＭ、１０５・・・ＲＡＭ、１０６・・・ＨＤＤ、２１・・・受信部、２２・・・解析部、２３・・・配信待機判定部、２４・・・速報メッセージ送信部
【図１】
2018198892.tif 000003
【図２】
2018198892.tif 000004
【図３】
2018198892.tif 000005
【図４】
2018198892.tif 000006
【図５】
2018198892.tif 000007
【図６】
2018198892.tif 000008
【図７】
2018198892.tif 000009
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
新たな速報メッセージの配信時に過去に配信した速報メッセージの属性に基づいて前記新たな速報メッセージの配信待機を行うか否かを判定する配信待機判定手段と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信手段と、
を備え、
前記配信待機判定手段は、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
前記速報メッセージ送信手段は、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
速報メッセージ配信装置。
【請求項２】
前記配信待機判定手段は、前記新たな速報メッセージの属性の一つである配信時刻が、前記過去に配信した速報メッセージの属性の一つである配信時刻から所定時間以上経過していない時刻である場合に、前記配信待機を行うと判定する
請求項１に記載の速報メッセージ配信装置。
【請求項３】
前記配信待機判定手段は、前記新たな速報メッセージの属性の一つである重要度が、前記過去に配信した速報メッセージの属性の一つである重要度より低い場合に、前記配信待機を行うと判定する
請求項１または請求項２に記載の速報メッセージ配信装置。
【請求項４】
（削除）
【請求項５】
（削除）
【請求項６】
速報メッセージ配信装置が、
新たな速報メッセージの配信時に過去に配信した速報メッセージの属性に基づいて前記新たな速報メッセージの配信待機を行うか否かを判定し、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信し、
前記配信待機を行うか否かを判定する際、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
当該新たな速報メッセージを配信する際、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
速報メッセージ配信方法。
【請求項７】
速報メッセージ配信装置のコンピュータに、
新たな速報メッセージの配信時に過去に配信した速報メッセージの属性に基づいて前記新たな速報メッセージの配信待機を行うか否かを判定する配信待機判定機能と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信機能と、
を実現させ、
前記配信待機判定機能は、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
前記速報メッセージ送信機能は、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
プログラムを記録したコンピュータ読み取り可能な記録媒体。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
新たな速報メッセージの配信時に過去に配信した速報メッセージの属性に基づいて前記新たな速報メッセージの配信待機を行うか否かを判定する配信待機判定手段と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信手段と、
を備え、
前記配信待機判定手段は、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
前記速報メッセージ送信手段は、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
速報メッセージ配信装置。
【請求項２】
前記配信待機判定手段は、前記新たな速報メッセージの属性の一つである配信時刻が、前記過去に配信した速報メッセージの属性の一つである配信時刻から所定時間以上経過していない時刻である場合に、前記配信待機を行うと判定する
請求項１に記載の速報メッセージ配信装置。
【請求項３】
前記配信待機判定手段は、前記新たな速報メッセージの属性の一つである重要度が、前記過去に配信した速報メッセージの属性の一つである重要度より低い場合に、前記配信待機を行うと判定する
請求項１または請求項２に記載の速報メッセージ配信装置。
【請求項４】
速報メッセージ配信装置が、
新たな速報メッセージの配信時に過去に配信した速報メッセージの属性に基づいて前記新たな速報メッセージの配信待機を行うか否かを判定し、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信し、
前記配信待機を行うか否かを判定する際、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
当該新たな速報メッセージを配信する際、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
速報メッセージ配信方法。
【請求項５】
速報メッセージ配信装置のコンピュータに、
新たな速報メッセージの配信時に過去に配信した速報メッセージの属性に基づいて前記新たな速報メッセージの配信待機を行うか否かを判定する配信待機判定機能と、
前記配信待機を行うと判定した場合には、所定の待機時間待機した後に、過去に配信要求が行われた速報メッセージに代えて前記新たな速報メッセージを端末装置に送信する基地局装置へ当該新たな速報メッセージを配信する速報メッセージ送信機能と、
を実現させ、
前記配信待機判定機能は、前記新たな速報メッセージの属性の一つである当該速報メッセージの宛先の前記基地局装置が、前記過去に配信した速報メッセージの属性の一つである当該速報メッセージの宛先の前記基地局装置と同じ場合には、前記配信待機を行うと判定し、
前記速報メッセージ送信機能は、前記新たな速報メッセージの属性の一つである当該速報メッセージの宛先の前記基地局装置が、前記過去に配信した速報メッセージの属性の一つである当該速報メッセージの宛先の前記基地局装置と重複する場合には、前記新たな速報メッセージを複製して重複する宛先の前記基地局装置への前記新たな速報メッセージの配信を待機し、重複しない宛先の前記基地局装置へは前記配信待機を行わずに前記新たな速報メッセージの配信を行う
コンピュータプログラム。
【国際調査報告】
2018198892.tif 000010
2018198892.tif 000011